(57)【特許請求の範囲】
【請求項１】
液晶ディスプレイ用のＧＯＡ回路であって、カスケード接続される複数のＧＯＡユニットを含み、カスケード接続される複数の前記ＧＯＡユニットは、複数のクロック信号の制御下でそれぞれ第１レベル信号のゲート駆動信号を出力して表示領域中の対応する水平走査線を充電するために用いられ、
前記ＧＯＡ回路は、複数のプルダウン保持回路をさらに含み、各々の前記プルダウン保持回路は、少なくとも２個の前記ＧＯＡユニットに対応し、各々の前記プルダウン保持回路は、対応する少なくとも２個の前記ＧＯＡユニットが非作用期間に出力する前記ゲート駆動信号を第２レベル信号に保持するために用いられ、
複数のクロック信号の数量が２より大きい数のＮである場合、各々の又は２個ごとの前記プルダウン保持回路は、Ｎ／２個の前記ＧＯＡユニットに対応し、
前記ＧＯＡユニットは、第１１トランジスタ、第１２トランジスタ、第１３トランジスタ、第１４トランジスタ、第１５トランジスタ及び第２コンデンサを含み、前記第１１トランジスタのゲートがソースに接続された後、１つ上段の起動信号に接続され、前記第１１トランジスタのドレインがそれぞれ前記第１２トランジスタのソース、前記第１３トランジスタのゲート、前記第１４トランジスタのゲート、前記第２コンデンサの一端及び共通信号点に接続され、前記第１２トランジスタのゲートが前記第１５トランジスタのゲートに接続され、前記第１３トランジスタのソースが前記第１４トランジスタのソースに接続された後、前記クロック信号に接続され、前記第１３トランジスタのドレインが現在の段の起動信号を出力し、前記第１４トランジスタのドレインがそれぞれ第２コンデンサの他端、第１５トランジスタのソースに接続されてゲート駆動信号を出力し、前記第１２トランジスタ、前記第１５トランジスタのドレインが定電圧負電源に接続され、
前記プルダウン保持回路は、入力モジュール及び出力モジュールを含み、
前記入力モジュールは、第１トランジスタ、第２トランジスタ、第３トランジスタ、第４トランジスタ、第５トランジスタ、第６トランジスタ、第７トランジスタ、第８トランジスタ、第９トランジスタ、第１０トランジスタ及び第１コンデンサを含み、前記第１トランジスタのゲート、ソースが前記第２トランジスタのソースに接続された後、第１入力信号に接続され、前記第１トランジスタのドレインがそれぞれ前記第３トランジスタのソース、前記第４トランジスタのゲートに接続され、前記第２トランジスタのゲートがそれぞれ前記第３トランジスタのゲート、前記第５トランジスタのソース及びゲートに接続され、前記第２トランジスタのドレインが前記第４トランジスタのソースに接続され、前記第５トランジスタのドレインがそれぞれ前記第６トランジスタのドレイン、前記第７トランジスタのソース、前記第１コンデンサの一端、前記第９トランジスタのゲートに接続され、前記第６トランジスタのゲートがソースに接続された後、第２入力信号に接続され、前記第７トランジスタのゲート、前記第１０トランジスタのゲートがリセット信号に接続され、前記第８トランジスタのゲートがソースに接続された後、第３入力信号に接続され、前記第８トランジスタのドレインが前記第９トランジスタのソースに接続され、前記第９トランジスタのドレインがそれぞれ前記第１コンデンサの他端及び前記第１０トランジスタのソースに接続され、前記第３トランジスタ、前記第４トランジスタ、前記第７トランジスタ、前記第１０トランジスタのドレインが接続された後、第４入力信号に接続され、
前記出力モジュールは、複数のトランジスタを含み、前記複数のトランジスタの数量が前記複数のクロック信号の数量Ｎに等しく、前記複数のトランジスタのゲート同士が接続された後、前記入力モジュール中の前記第９トランジスタのドレインに接続され、前記複数のトランジスタのドレイン同士が接続された後、前記第４入力信号に接続され、前記複数のトランジスタのソースがそれぞれ対応するＮ／２個の前記ＧＯＡユニットの共通信号点とゲート駆動信号に接続されるＧＯＡ回路。
【請求項２】
液晶ディスプレイ用のＧＯＡ回路であって、前記ＧＯＡ回路は、カスケード接続される複数のＧＯＡユニットを含み、カスケード接続される複数の前記ＧＯＡユニットは、複数のクロック信号の制御下でそれぞれ第１レベル信号のゲート駆動信号を出力して表示領域中の対応する水平走査線を充電するために用いられ、
前記ＧＯＡ回路は、複数のプルダウン保持回路をさらに含み、各々の前記プルダウン保持回路は、少なくとも２個の前記ＧＯＡユニットに対応し、対応する少なくとも２個の前記ＧＯＡユニットが非作用期間に出力する前記ゲート駆動信号を第２レベル信号に保持するために用いられ、
複数のクロック信号の数量が２より大きい数のＮである場合、各々の又は２個ごとの前記プルダウン保持回路は、Ｎ／２個の前記ＧＯＡユニットに対応し、
前記プルダウン保持回路は、入力モジュール及び出力モジュールを含み、
前記入力モジュールは、第１トランジスタ、第２トランジスタ、第３トランジスタ、第４トランジスタ、第５トランジスタ、第６トランジスタ、第７トランジスタ、第８トランジスタ、第９トランジスタ、第１０トランジスタ及び第１コンデンサを含み、前記第１トランジスタのゲート、ソースが前記第２トランジスタのソースに連結された後、第１入力信号に接続され、前記第１トランジスタのドレインがそれぞれ前記第３トランジスタのソース、前記第４トランジスタのゲートに接続され、前記第２トランジスタのゲートがそれぞれ前記第３トランジスタのゲート、前記第５トランジスタのソース及びゲートに接続され、前記第２トランジスタのドレインが前記第４トランジスタのソースに接続され、前記第５トランジスタのドレインがそれぞれ前記第６トランジスタのドレイン、前記第７トランジスタのソース、前記第１コンデンサの一端、前記第９トランジスタのゲートに接続され、前記第６トランジスタのゲートがソースに連結された後に第２入力信号に接続され、前記第７トランジスタのゲート、前記第１０トランジスタのゲートがリセット信号に接続され、前記第８トランジスタのゲートがソースに接続された後、第３入力信号に接続され、前記第８トランジスタのドレインが前記第９トランジスタのソースに接続され、前記第９トランジスタのドレインがそれぞれ前記第１コンデンサの他端及び前記第１０トランジスタのソースに接続され、前記第３トランジスタ、前記第４トランジスタ、前記第７トランジスタ、前記第１０トランジスタのドレインが接続された後、第４入力信号に接続され、
前記出力モジュールは、複数のトランジスタを含み、前記複数のトランジスタの数量が前記複数のクロック信号の数量Ｎに等しく、前記複数のトランジスタのゲート同士が接続された後、前記入力モジュール中の前記第９トランジスタのドレインに接続され、前記複数のトランジスタのドレイン同士が接続された後、前記第４入力信号に接続され、前記複数のトランジスタのソースがそれぞれ対応するＮ／２個の前記ＧＯＡユニットの共通信号点とゲート駆動信号に接続されるＧＯＡ回路。
【請求項３】
前記複数のクロック信号の数量が８個で、各々の前記プルダウン保持回路が４個の前記ＧＯＡユニットに対応する場合、第Ｍ段の前記プルダウン保持回路の前記第１入力信号が定電圧正電源であり、前記第２入力信号が第Ｍ−１段カスケード伝送信号であり、前記第４入力信号が定電圧負電源であり、
第Ｍ段の前記プルダウン保持回路の前記第９トランジスタのドレインが第Ｍ段カスケード伝送信号を出力し、
第Ｍ段の前記プルダウン保持回路と第Ｍ＋１段の前記プルダウン保持回路の前記第３入力信号とは位相が逆である請求項２に記載のＧＯＡ回路。
【請求項４】
前記複数のクロック信号が８個で、２個ごとの前記プルダウン保持回路が４個の前記ＧＯＡユニットに対応する場合、第Ｍ段の前記プルダウン保持回路の前記第１入力信号が第１低周波信号であり、前記第２入力信号が第Ｍ−２段カスケード伝送信号であり、前記第４入力信号が定電圧負電源であり、第Ｍ＋１段の前記プルダウン保持回路の前記第１入力信号が第２低周波信号であり、前記第２入力信号が第Ｍ−１段カスケード伝送信号であり、前記第３入力信号が第２制御信号であり、前記第４入力信号が定電圧負電源であり、
第Ｍ段の前記プルダウン保持回路と第Ｍ＋１段の前記プルダウン保持回路の前記第３入力信号は同じであり、隣接する別の２個の前記プルダウン保持回路の前記第３入力信号の位相と逆であり、
第Ｍ段の前記プルダウン保持回路の前記第９トランジスタのドレインが第Ｍ段カスケード伝送信号を出力し、第Ｍ＋１段の前記プルダウン保持回路の前記第９トランジスタのドレインが第Ｍ＋１段カスケード伝送信号を出力する請求項２に記載のＧＯＡ回路。
【請求項５】
前記第１低周波信号と前記第２低周波信号とは位相が逆である請求項４に記載のＧＯＡ回路。
【請求項６】
前記第１低周波信号と前記第２低周波信号は、所定画像フレームおきに一度極性を切り替え、前記所定画像フレームの数の値の範囲は１〜１００フレームである請求項４に記載のＧＯＡ回路。
【請求項７】
第Ｍ段の前記プルダウン保持回路と第Ｍ＋１段の前記プルダウン保持回路は、前記第１低周波信号と前記第２低周波信号の制御下で交互に動作する請求項４に記載のＧＯＡ回路。
【請求項８】
前記ＧＯＡユニットは、第１１トランジスタ、第１２トランジスタ、第１３トランジスタ、第１４トランジスタ、第１５トランジスタ及び第２コンデンサを含み、前記第１１トランジスタのゲートがソースに接続された後、１つ上段の起動信号に接続され、前記第１トランジスタのドレインがそれぞれ前記第１２トランジスタのソース、前記第１３トランジスタのゲート、前記第１４トランジスタのゲート、前記第２コンデンサの一端及び共通信号点に接続され、前記第１２トランジスタのゲートが前記第１５トランジスタのゲートに接続され、前記第１３トランジスタのソースが前記第１４トランジスタのソースに接続された後、前記クロック信号に接続され、前記第１３トランジスタのドレインが現在の段の起動信号を出力し、前記第１４トランジスタのドレインがそれぞれ第２コンデンサの他端、第１５トランジスタのソースに接続されてゲート駆動信号を出力し、前記第１２トランジスタ、前記第１５トランジスタのドレインが定電圧負電源に接続される請求項２に記載のＧＯＡ回路。
【請求項９】
液晶ディスプレイであって、ＧＯＡ回路を含み、前記ＧＯＡ回路は、カスケード接続される複数のＧＯＡユニットを含み、カスケード接続される複数の前記ＧＯＡユニットは、複数のクロック信号の制御下でそれぞれ第１レベル信号のゲート駆動信号を出力して表示領域中の対応する水平走査線を充電するために用いられ、
前記ＧＯＡ回路は、複数のプルダウン保持回路をさらに含み、各々の前記プルダウン保持回路は、少なくとも２個の前記ＧＯＡユニットに対応し、各々の前記プルダウン保持回路は、対応する少なくとも２個の前記ＧＯＡユニットが非作用期間に出力する前記ゲート駆動信号を第２レベル信号に保持するために用いられ、
複数のクロック信号の数量が２より大きい数のＮである場合、各々の又は２個ごとの前記プルダウン保持回路は、Ｎ／２個の前記ＧＯＡユニットに対応し、
前記プルダウン保持回路は、入力モジュール及び出力モジュールを含み、
前記入力モジュールは、第１トランジスタ、第２トランジスタ、第３トランジスタ、第４トランジスタ、第５トランジスタ、第６トランジスタ、第７トランジスタ、第８トランジスタ、第９トランジスタ、第１０トランジスタ及び第１コンデンサを含み、前記第１トランジスタのゲート、ソースが前記第２トランジスタのソースに連結された後、第１入力信号に接続され、前記第１トランジスタのドレインがそれぞれ前記第３トランジスタのソース、前記第４トランジスタのゲートに接続され、前記第２トランジスタのゲートがそれぞれ前記第３トランジスタのゲート、前記第５トランジスタのソース及びゲートに接続され、前記第２トランジスタのドレインが前記第４トランジスタのソースに接続され、前記第５トランジスタのドレインがそれぞれ前記第６トランジスタのドレイン、前記第７トランジスタのソース、前記第１コンデンサの一端、前記第９トランジスタのゲートに接続され、前記第６トランジスタのゲートがソースに連結された後に第２入力信号に接続され、前記第７トランジスタのゲート、前記第１０トランジスタのゲートがリセット信号に接続され、前記第８トランジスタのゲートがソースに接続された後、第３入力信号に接続され、前記第８トランジスタのドレインが前記第９トランジスタのソースに接続され、前記第９トランジスタのドレインがそれぞれ前記第１コンデンサの他端及び前記第１０トランジスタのソースに接続され、前記第３トランジスタ、前記第４トランジスタ、前記第７トランジスタ、前記第１０トランジスタのドレインが接続された後、第４入力信号に接続され、
前記出力モジュールは、複数のトランジスタを含み、前記複数のトランジスタの数量が前記複数のクロック信号の数量Ｎに等しく、前記複数のトランジスタのゲート同士が接続された後、前記入力モジュール中の前記第９トランジスタのドレインに接続され、前記複数のトランジスタのドレイン同士が接続された後、前記第４入力信号に接続され、前記複数のトランジスタのソースがそれぞれ対応するＮ／２個の前記ＧＯＡユニットの共通信号点とゲート駆動信号に接続される液晶ディスプレイ。
【請求項１０】
前記複数のクロック信号の数量が８個で、各々の前記プルダウン保持回路が４個の前記ＧＯＡユニットに対応する場合、第Ｍ段の前記プルダウン保持回路の前記第１入力信号が定電圧正電源であり、前記第２入力信号が第Ｍ−１段カスケード伝送信号であり、前記第４入力信号が定電圧負電源であり、
第Ｍ段の前記プルダウン保持回路の前記第９トランジスタのドレインが第Ｍ段カスケード伝送信号を出力し、
第Ｍ段の前記プルダウン保持回路と第Ｍ＋１段の前記プルダウン保持回路の前記第３入力信号とは位相が逆である請求項９に記載の液晶ディスプレイ。
【請求項１１】
前記複数のクロック信号が８個で、２個ごとの前記プルダウン保持回路が４個の前記ＧＯＡユニットに対応する場合、第Ｍ段の前記プルダウン保持回路の前記第１入力信号が第１低周波信号であり、前記第２入力信号が第Ｍ−２段カスケード伝送信号であり、前記第４入力信号が定電圧負電源であり、第Ｍ＋１段の前記プルダウン保持回路の前記第１入力信号が第２低周波信号であり、前記第２入力信号が第Ｍ−１段カスケード伝送信号であり、前記第３入力信号が第２制御信号であり、前記第４入力信号が定電圧負電源であり、
第Ｍ段の前記プルダウン保持回路と第Ｍ＋１段の前記プルダウン保持回路の前記第３入力信号は同じであり、隣接する別の２個の前記プルダウン保持回路の前記第３入力信号の位相と逆であり、
第Ｍ段の前記プルダウン保持回路の前記第９トランジスタのドレインが第Ｍ段カスケード伝送信号を出力し、第Ｍ＋１段の前記プルダウン保持回路の前記第９トランジスタのドレインが第Ｍ＋１段カスケード伝送信号を出力する請求項９に記載の液晶ディスプレイ。
【請求項１２】
前記第１低周波信号と前記第２低周波信号とは位相が逆である請求項１１に記載の液晶ディスプレイ。
【請求項１３】
前記第１低周波信号と前記第２低周波信号は、所定画像フレームおきに一度極性を切り替え、前記所定画像フレームの数の値の範囲は１〜１００フレームである請求項１１に記載の液晶ディスプレイ。
【請求項１４】
第Ｍ段の前記プルダウン保持回路と第Ｍ＋１段の前記プルダウン保持回路は、前記第１低周波信号と前記第２低周波信号の制御下で交互に動作する請求項１１に記載の液晶ディスプレイ。
【請求項１５】
前記ＧＯＡユニットは、第１１トランジスタ、第１２トランジスタ、第１３トランジスタ、第１４トランジスタ、第１５トランジスタ及び第２コンデンサを含み、前記第１１トランジスタのゲートがソースに接続された後、１つ上段の起動信号に接続され、前記第１１トランジスタのドレインがそれぞれ前記第１２トランジスタのソース、前記第１３トランジスタのゲート、前記第１４トランジスタのゲート、前記第２コンデンサの一端及び共通信号点に接続され、前記第１２トランジスタのゲートが前記第１５トランジスタのゲートに接続され、前記第１３トランジスタのソースが前記第１４トランジスタのソースに接続された後、前記クロック信号に接続され、前記第１３トランジスタのドレインが現在の段の起動信号を出力し、前記第１４トランジスタのドレインがそれぞれ第２コンデンサの他端、第１５トランジスタのソースに接続されてゲート駆動信号を出力し、前記第１２トランジスタ、前記第１５トランジスタのドレインが定電圧負電源に接続される請求項９に記載の液晶ディスプレイ。
【発明の詳細な説明】
【技術分野】
【０００１】
本発明は、液晶分野に関し、特にＧＯＡ回路及び液晶ディスプレイに関する。
【背景技術】
【０００２】
従来のＧＯＡ（Ｇａｔｅ  ｄｒｉｖｅｒ  ｏｎ  ａｒｒａｙ）回路は、カスケード接続されるＧＯＡユニット及び複数のプルダウン保持回路を備え、１個のＧＯＡユニットは、プルダウンを保持するために用いられる１個又は２個のプルダウン保持回路を必要とする。実際の応用では、プルダウン保持回路は、一般に、複数のトランジスタから構成され、トランジスタの数量が多いため、プルダウン保持回路が大量の空間を占有することが多い。プルダウン保持回路の数量が多い場合、ＧＯＡ回路の配線領域の幅が増大し、さらに液晶ディスプレイの狭額縁化の難易度が高くなる。
【発明の概要】
【発明が解決しようとする課題】
【０００３】
本発明が主に解決しようとする技術的課題は、ＧＯＡ回路の配線領域の幅を減少させ、それにより液晶ディスプレイの狭額縁化の設計難易度を低減させることができるＧＯＡ回路及び液晶ディスプレイを提供することである。
【課題を解決するための手段】
【０００４】
上記技術的課題を解決するために、本発明が採用した技術的手段は、液晶ディスプレイ用のＧＯＡ回路を提供し、該ＧＯＡ回路は、カスケード接続される複数のＧＯＡユニットを備え、カスケード接続される複数のＧＯＡユニットは、複数のクロック信号の制御下でそれぞれ第１レベル信号のゲート駆動信号を出力して表示領域中の対応する水平走査線を充電するために用いられ、該ＧＯＡ回路は、複数のプルダウン保持回路をさらに備え、各々のプルダウン保持回路は、少なくとも２個のＧＯＡユニットに対応し、各々のプルダウン保持回路は、対応する少なくとも２個のＧＯＡユニットが非作用期間に出力するゲート駆動信号を第２レベル信号に保持するために用いられ、複数のクロック信号の数量がＮである場合、各々の又は２個ごとのプルダウン保持回路は、Ｎ／２個のＧＯＡユニットに対応し、ＧＯＡユニットは、第１１トランジスタ、第１２トランジスタ、第１３トランジスタ、第１４トランジスタ、第１５トランジスタ及び第２コンデンサを備え、第１１トランジスタのゲートがソースに接続された後、１つ上段の起動信号に接続され、第１１トランジスタのドレインがそれぞれ第１２トランジスタのソース、第１３トランジスタのゲート、第１４トランジスタのゲート、第２コンデンサの一端及び共通信号点に接続され、第１２トランジスタのゲートが第１５トランジスタのゲートに接続され、第１３トランジスタのソースが第１４トランジスタのソースに接続された後、クロック信号に接続され、第１３トランジスタのドレインが現在の段の起動信号を出力し、第１４トランジスタのドレインがそれぞれ第２コンデンサの他端、第１５トランジスタのソースに接続されてゲート駆動信号を出力し、第１２トランジスタ、第１５トランジスタのドレインが定電圧負電源に接続される。
【０００５】
プルダウン保持回路は、入力モジュール及び出力モジュールを備え、
入力モジュールは、第１トランジスタ、第２トランジスタ、第３トランジスタ、第４トランジスタ、第５トランジスタ、第６トランジスタ、第７トランジスタ、第８トランジスタ、第９トランジスタ、第１０トランジスタ及び第１コンデンサを備え、第１トランジスタのゲート、ソースが第２トランジスタのソースに連結された後に第１入力信号に接続され、第１トランジスタのドレインがそれぞれ第３トランジスタのソース、第４トランジスタのゲートに接続され、第２トランジスタのゲートがそれぞれ第３トランジスタのゲート、第５トランジスタのソース及びゲートに接続され、第２トランジスタのドレインが第４トランジスタのソースに接続され、第５トランジスタのドレインがそれぞれ第６トランジスタのドレイン、第７トランジスタのソース、第１コンデンサの一端、第９トランジスタのゲートに接続され、第６トランジスタのゲートがソースに連結された後に第２入力信号に接続され、第７トランジスタのゲート、第１０トランジスタのゲートがリセット信号に接続され、第８トランジスタのゲートがソースに接続された後、第３入力信号に接続され、第８トランジスタのドレインが第９トランジスタのソースに接続され、第９トランジスタのドレインがそれぞれ第１コンデンサの他端と第１０トランジスタのソースに接続され、第３トランジスタ、第４トランジスタ、第７トランジスタ、第１０トランジスタのドレインが接続された後、第４入力信号に接続され、
出力モジュールは、複数のトランジスタを備え、複数のトランジスタの数量が複数のクロック信号の数量Ｎに等しく、複数のトランジスタのゲート同士が接続された後、入力モジュール中の第９トランジスタのドレインに接続され、複数のトランジスタのドレイン同士が接続された後、第４入力信号に接続され、複数のトランジスタのソースがそれぞれ対応するＮ／２個のＧＯＡユニットの共通信号点とゲート駆動信号に接続される。
【０００６】
上記技術的課題を解決するために、本発明の別の技術的手段は、液晶ディスプレイ用のＧＯＡ回路を提供し、該ＧＯＡ回路は、カスケード接続される複数のＧＯＡユニットを備え、カスケード接続される複数のＧＯＡユニットは、複数のクロック信号の制御下でそれぞれ第１レベル信号のゲート駆動信号を出力して表示領域中の対応する水平走査線を充電するために用いられ、該ＧＯＡ回路は、複数のプルダウン保持回路をさらに備え、各々のプルダウン保持回路は、少なくとも２個のＧＯＡユニットに対応し、対応する少なくとも２個のＧＯＡユニットが非作用期間に出力するゲート駆動信号を第２レベル信号に保持するために用いられる。
【０００７】
複数のクロック信号の数量がＮである場合、各々の又は２個ごとのプルダウン保持回路は、Ｎ／２個のＧＯＡユニットに対応する。
【０００８】
プルダウン保持回路は、入力モジュール及び出力モジュールを備え、  入力モジュールは、第１トランジスタ、第２トランジスタ、第３トランジスタ、第４トランジスタ、第５トランジスタ、第６トランジスタ、第７トランジスタ、第８トランジスタ、第９トランジスタ、第１０トランジスタ及び第１コンデンサを備え、第１トランジスタのゲート、ソースが第２トランジスタのソースに連結された後に第１入力信号に接続され、第１トランジスタのドレインがそれぞれ第３トランジスタのソース、第４トランジスタのゲートに接続され、第２トランジスタのゲートがそれぞれ第３トランジスタのゲート、第５トランジスタのソース及びゲートに接続され、第２トランジスタのドレインが第４トランジスタのソースに接続され、第５トランジスタのドレインがそれぞれ第６トランジスタのドレイン、第７トランジスタのソース、第１コンデンサの一端、第９トランジスタのゲートに接続され、第６トランジスタのゲートがソースに連結された後に第２入力信号に接続され、第７トランジスタのゲート、第１０トランジスタのゲートがリセット信号に接続され、第８トランジスタのゲートがソースに接続された後、第３入力信号に接続され、第８トランジスタのドレインが第９トランジスタのソースに接続され、第９トランジスタのドレインがそれぞれ第１コンデンサの他端と第１０トランジスタのソースに接続され、第３トランジスタ、第４トランジスタ、第７トランジスタ、第１０トランジスタのドレインが接続された後、第４入力信号に接続され、
出力モジュールは、複数のトランジスタを備え、複数のトランジスタの数量が複数のクロック信号の数量Ｎに等しく、複数のトランジスタのゲート同士が接続された後、入力モジュール中の第９トランジスタのドレインに接続され、複数のトランジスタのドレイン同士が接続された後、第４入力信号に接続され、複数のトランジスタのソースがそれぞれ対応するＮ／２個のＧＯＡユニットの共通信号点とゲート駆動信号に接続される。
【０００９】
複数のクロック信号の数量が８個で、各々のプルダウン保持回路が４個のＧＯＡユニットに対応する場合、第Ｍ段のプルダウン保持回路の第１入力信号が定電圧正電源であり、第２入力信号が第Ｍ−１段カスケード伝送信号であり、第４入力信号が定電圧負電源であり、第Ｍ段のプルダウン保持回路の第９トランジスタのドレインが第Ｍ段カスケード伝送信号を出力し、第Ｍ段のプルダウン保持回路と第Ｍ＋１段のプルダウン保持回路の第３入力信号とは位相が逆である。
【００１０】
複数のクロック信号が８個で、２個ごとのプルダウン保持回路が４個のＧＯＡユニットに対応する場合、第Ｍ段のプルダウン保持回路の第１入力信号が第１低周波信号であり、第２入力信号が第Ｍ−２段カスケード伝送信号であり、第４入力信号が定電圧負電源であり、第Ｍ＋１段のプルダウン保持回路の第１入力信号が第２低周波信号であり、第２入力信号が第Ｍ−１段カスケード伝送信号であり、第３入力信号が第２制御信号であり、第４入力信号が定電圧負電源であり、第Ｍ段のプルダウン保持回路と第Ｍ＋１段のプルダウン保持回路の第３入力信号は同じであり、隣接する別の２個のプルダウン保持回路の第３入力信号の位相と逆であり、第Ｍ段のプルダウン保持回路の第９トランジスタのドレインが第Ｍ段カスケード伝送信号を出力し、第Ｍ＋１段のプルダウン保持回路の第９トランジスタのドレインが第Ｍ＋１段カスケード伝送信号を出力する。
【００１１】
第１低周波信号と第２低周波信号とは位相が逆である。
【００１２】
第１低周波信号と第２低周波信号は、所定画像フレームおきに一度極性を切り替え、所定画像フレームの数の値の範囲は１〜１００フレームである。
【００１３】
第Ｍ段のプルダウン保持回路と第Ｍ＋１段のプルダウン保持回路は、第１低周波信号と第２低周波信号の制御下で交互に動作する。
【００１４】
ＧＯＡユニットは、第１１トランジスタ、第１２トランジスタ、第１３トランジスタ、第１４トランジスタ、第１５トランジスタ及び第２コンデンサを備え、第１１トランジスタのゲートがソースに接続された後、１つ上段の起動信号に接続され、第１１トランジスタのドレインがそれぞれ第１２トランジスタのソース、第１３トランジスタのゲート、第１４トランジスタのゲート、第２コンデンサの一端及び共通信号点に接続され、第１２トランジスタのゲートが第１５トランジスタのゲートに接続され、第１３トランジスタのソースが第１４トランジスタのソースに接続された後、クロック信号に接続され、第１３トランジスタのドレインが現在の段の起動信号を出力し、第１４トランジスタのドレインがそれぞれ第２コンデンサの他端、第１５トランジスタのソースに接続されてゲート駆動信号を出力し、第１２トランジスタ、第１５トランジスタのドレインが定電圧負電源に接続される。
【００１５】
上記技術的課題を解決するために、本発明のさらに別の技術的手段は、液晶ディスプレイを提供し、該液晶ディスプレイは、ＧＯＡ回路を備え、該ＧＯＡ回路は、カスケード接続される複数のＧＯＡユニットを備え、カスケード接続される複数のＧＯＡユニットは、複数のクロック信号の制御下でそれぞれ第１レベル信号のゲート駆動信号を出力して表示領域中の対応する水平走査線を充電するために用いられ、該ＧＯＡ回路は、複数のプルダウン保持回路をさらに備え、各々のプルダウン保持回路は、少なくとも２個のＧＯＡユニットに対応し、各々のプルダウン保持回路は、対応する少なくとも２個のＧＯＡユニットが非作用期間に出力するゲート駆動信号を第２レベル信号に保持するために用いられる。
【００１６】
複数のクロック信号の数量がＮである場合、各々の又は２個ごとのプルダウン保持回路は、Ｎ／２個のＧＯＡユニットに対応する。
【００１７】
プルダウン保持回路は、入力モジュール及び出力モジュールを備え、
入力モジュールは、第１トランジスタ、第２トランジスタ、第３トランジスタ、第４トランジスタ、第５トランジスタ、第６トランジスタ、第７トランジスタ、第８トランジスタ、第９トランジスタ、第１０トランジスタ及び第１コンデンサを備え、第１トランジスタのゲート、ソースが第２トランジスタのソースに接続された後、第１入力信号に接続され、第１トランジスタのドレインがそれぞれ第３トランジスタのソース、第４トランジスタのゲートに接続され、第２トランジスタのゲートがそれぞれ第３トランジスタのゲート、第５トランジスタのソース及びゲートに接続され、第２トランジスタのドレインが第４トランジスタのソースに接続され、第５トランジスタのドレインがそれぞれ第６トランジスタのドレイン、第７トランジスタのソース、第１コンデンサの一端、第９トランジスタのゲートに接続され、第６トランジスタのゲートがソースに接続された後、第２入力信号に接続され、第７トランジスタのゲート、第１０トランジスタのゲートがリセット信号に接続され、第８トランジスタのゲートがソースに接続された後、第３入力信号に接続され、第８トランジスタのドレインが第９トランジスタのソースに接続され、第９トランジスタのドレインがそれぞれ第１コンデンサの他端と第１０トランジスタのソースに接続され、第３トランジスタ、第４トランジスタ、第７トランジスタ、第１０トランジスタのドレインが接続された後、第４入力信号に接続され、
出力モジュールは、複数のトランジスタを備え、複数のトランジスタの数量が複数のクロック信号の数量Ｎに等しく、複数のトランジスタのゲート同士が接続された後、入力モジュール中の第９トランジスタのドレインに接続され、複数のトランジスタのドレイン同士が接続された後、第４入力信号に接続され、複数のトランジスタのソースがそれぞれ対応するＮ／２個のＧＯＡユニットの共通信号点とゲート駆動信号に接続される。
【００１８】
複数のクロック信号の数量が８個で、各々のプルダウン保持回路が４個のＧＯＡユニットに対応する場合、第Ｍ段のプルダウン保持回路の第１入力信号が定電圧正電源であり、第２入力信号が第Ｍ−１段カスケード伝送信号であり、第４入力信号が定電圧負電源であり、第Ｍ段のプルダウン保持回路の第９トランジスタのドレインが第Ｍ段カスケード伝送信号を出力し、第Ｍ段のプルダウン保持回路と第Ｍ＋１段のプルダウン保持回路の第３入力信号とは位相が逆である。
【００１９】
複数のクロック信号が８個で、２個ごとのプルダウン保持回路が４個のＧＯＡユニットに対応する場合、第Ｍ段のプルダウン保持回路の第１入力信号が第１低周波信号であり、第２入力信号が第Ｍ−２段カスケード伝送信号であり、第４入力信号が定電圧負電源であり、第Ｍ＋１段のプルダウン保持回路の第１入力信号が第２低周波信号であり、第２入力信号が第Ｍ−１段カスケード伝送信号であり、第３入力信号が第２制御信号であり、第４入力信号が定電圧負電源であり、第Ｍ段のプルダウン保持回路と第Ｍ＋１段のプルダウン保持回路の第３入力信号は同じであり、隣接する別の２個のプルダウン保持回路の第３入力信号の位相と逆であり、第Ｍ段のプルダウン保持回路の第９トランジスタのドレインが第Ｍ段カスケード伝送信号を出力し、第Ｍ＋１段のプルダウン保持回路の第９トランジスタのドレインが第Ｍ＋１段カスケード伝送信号を出力する。
【００２０】
第１低周波信号と第２低周波信号とは位相が逆である。
【００２１】
第１低周波信号と第２低周波信号は、所定画像フレームおきに極性を切り替え、所定画像フレームの数の値の範囲は１〜１００フレームである。
【００２２】
第Ｍ段のプルダウン保持回路と第Ｍ＋１段のプルダウン保持回路は、第１低周波信号と第２低周波信号の制御下で交互に動作する。
【００２３】
ＧＯＡユニットは、第１１トランジスタ、第１２トランジスタ、第１３トランジスタ、第１４トランジスタ、第１５トランジスタ及び第２コンデンサを備え、第１１トランジスタのゲートがソースに接続された後、１つ上段の起動信号に接続され、第１１トランジスタのドレインがそれぞれ第１２トランジスタのソース、第１３トランジスタのゲート、第１４トランジスタのゲート、第２コンデンサの一端及び共通信号点に接続され、第１２トランジスタのゲートが第１５トランジスタのゲートに接続され、第１３トランジスタのソースが第１４トランジスタのソースに接続された後、クロック信号に接続され、第１３トランジスタのドレインが現在の段の起動信号を出力し、第１４トランジスタのドレインがそれぞれ第２コンデンサの他端、第１５トランジスタのソースに接続されてゲート駆動信号を出力し、第１２トランジスタ、第１５トランジスタのドレインが定電圧負電源に接続される。
【００２４】
本発明の有益な効果は、以下のとおりである。本発明のＧＯＡ回路及び液晶ディスプレイは、１個のプルダウン保持回路によって対応する少なくとも２個のＧＯＡユニットが非作用期間に第２レベル信号のゲート駆動信号を出力するように保持し、それにより、プルダウン保持回路の数量を減少させることができ、更に液晶ディスプレイの狭額縁化の設計ニーズを満たすようにＧＯＡ回路の配線領域の幅を減少させることができる。
【図面の簡単な説明】
【００２５】
【図１】図１は、本発明の第１実施例のＧＯＡ回路の構造模式図である。
【図２】図２は、本発明の第２実施例のＧＯＡ回路の構造模式図である。
【図３】図３は、図２に示されるＧＯＡユニットの回路原理図である。
【図４】図４は、図２に示されるプルダウン保持回路の回路原理図である。
【図５】図５は、図４に示されるプルダウン保持回路の動作タイミング図である。
【図６】図６は、本発明の第３実施例のＧＯＡ回路の構造模式図である。
【図７】図７は、図６に示される４個のＧＯＡユニットに対応する２個のプルダウン保持回路の回路原理図である。
【図８】図８は、図７に示される第Ｍ段のプルダウン保持回路の動作タイミング図である。
【図９】図９は、図７に示される第Ｍ＋１段のプルダウン保持回路の動作タイミング図である。
【図１０】図１０は、本発明の実施例の液晶ディスプレイの構造模式図である。
【発明を実施するための形態】
【００２６】
明細書及び特許請求の範囲においていくつかの用語で特定のユニットを示すが、当業者にとって明らかなように、メーカーが異なる用語で同じ要素を示すことがある。本明細書及び特許請求の範囲において名称で要素を区別するのではなく、要素の機能を区別の基準とする。以下、図面及び実施例を参照して本発明を詳細に説明する。
【００２７】
図１は、本発明の第１実施例のＧＯＡ回路の構造模式図である。図１に示すように、ＧＯＡ回路１０は、カスケード接続される複数のＧＯＡユニット１１及び複数のプルダウン保持回路１２を備える。
【００２８】
このうち、カスケード接続される複数のＧＯＡユニット１１は、複数のクロック信号の制御下でそれぞれ第１レベル信号のゲート駆動信号を出力して、表示領域中の対応する水平走査線を充電するために用いられる。このうち、第１レベル信号は、高レベル信号である。このうち、各々のプルダウン保持回路１２は、少なくとも２個のＧＯＡユニット１１に対応し、各々のプルダウン保持回路１２は、対応する少なくとも２個のＧＯＡユニット１１が非作用期間に出力するゲート駆動信号を第２レベル信号に保持するために用いられる。このうち、第２レベル信号は、低レベル信号である。
【００２９】
好適には、複数のクロック信号の数量がＮである場合、各々の又は２個ごとのプルダウン保持回路１２は、Ｎ／２個のＧＯＡユニット１１に対応する。
【００３０】
図２は、本発明の第２実施例のＧＯＡ回路の構造模式図であり、本発明は、８個のクロック信号に基づくＧＯＡ回路である。図２に示すように、ＧＯＡ回路２０は、カスケード接続される複数のＧＯＡユニット２１及び複数のプルダウン保持回路２２を備える。
【００３１】
カスケード接続される複数のＧＯＡユニット２１は、８個のクロック信号ＣＫｎ（ｎ＝１、２、…８）の制御下でそれぞれ第１レベル信号のゲート駆動信号Ｇ（ｎ）（ｎ＝１、２、…Ｎ）を出力して、表示領域中の対応する水平走査線を充電するために用いられる。このうち、第１レベル信号は、高レベル信号である。
【００３２】
このうち、カスケード接続される複数のＧＯＡユニット２１と８個のクロック信号ＣＫｎの接続関係について、第１段ＧＯＡユニット２１がクロック信号ＣＫ１に接続され、第２段ＧＯＡユニット２１がクロック信号ＣＫ２に接続され、以下も同様に、第８段ＧＯＡユニット２１がクロック信号ＣＫ８に接続される。次に、再び循環し、すなわち、第９段ＧＯＡユニット２１がクロック信号ＣＫ１に接続され、第１０段ＧＯＡユニット２１がクロック信号ＣＫ２に接続され、以下も同様に、第１６段ＧＯＡユニット２１がクロック信号ＣＫ８に接続される。次に、すべてのＧＯＡユニット２１が対応するクロック信号に接続されるまで、上記のように循環する。本実施例では、８個のクロック信号ＣＫｎ（ｎ＝１、２、…８）は、順に時分割的に有効である。
【００３３】
図３を併せて参照し、図３は、図２に示されるＧＯＡユニットの回路原理図である。図３に示すように、第Ｎ段ＧＯＡユニット２１は、第１１トランジスタＴ１１、第１２トランジスタＴ１２、第１３トランジスタＴ１３、第１４トランジスタＴ１４、第１５トランジスタＴ１５及び第２コンデンサＣ２を備える。
【００３４】
このうち、第１１トランジスタＴ１１のゲートがソースに接続された後、１つ上段の起動信号に接続される。本実施例では、１つ上段の起動信号が第ｎ−４段起動信号ＳＴ（ｎ−４）である。第１１トランジスタＴ１１のドレインがそれぞれ第１２トランジスタＴ１２のソース、第１３トランジスタＴ１３のゲート、及び第１４トランジスタＴ１４のゲート、及び第２コンデンサＣ２の一端ならびに共通信号点に接続される。本実施例では、共通信号点が第ｎ段共通信号点Ｑ（ｎ）である。第１２トランジスタＴ１２のゲートが第１５トランジスタＴ１５のゲートに接続されて一つ下段の起動信号を出力する。本実施例では、１つ下段の起動信号が第ｎ＋４段起動信号ＳＴ（ｎ＋４）である。第１３トランジスタＴ１３のソースが第１４トランジスタＴ１４のソースに接続された後、クロック信号ＣＫｎに接続され、第１３トランジスタＴ１３のドレインが現在の段の起動信号を出力する。本実施例では、現在の段の起動信号が第ｎ段起動信号ＳＴ（ｎ）である。第１４トランジスタＴ１４のドレインがそれぞれ第２コンデンサＣ２の他端、第１５トランジスタＴ１５のソースに接続されてゲート駆動信号を出力する。本実施例では、ゲート駆動信号が第ｎ段ゲート駆動信号Ｇ（ｎ）である。第１２トランジスタＴ１２、第１５トランジスタＴ１５のドレインが定電圧負電源ＶＳＳに接続される。
【００３５】
本実施例では、第１１トランジスタＴ１１は、第ｎ−４段起動信号ＳＴ（ｎ−４）に接続され、第ｎ段ＧＯＡユニット２１をオンにした後に第ｎ段共通信号点Ｑ（ｎ）の電位をプルアップするために用いられ、第１４トランジスタＴ１４は、第ｎ段ＧＯＡユニット２１の作用期間に高レベルの第ｎ段ゲート駆動信号Ｇ（ｎ）を出力して対応する水平走査線を充電するために用いられ、第１３トランジスタは、第ｎ段ＧＯＡユニットの非作用期間に第ｎ段起動信号ＳＴ（ｎ）を出力して、１つ下段の第ｎ＋４段ＧＯＡ回路をオンにするために用いられ、第１２トランジスタＴ１２及び第１５トランジスタＴ１５は、第ｎ段ＧＯＡユニットの非作用期間に第ｎ段共通信号点Ｑ（ｎ）と第ｎ段ゲート駆動信号Ｇ（ｎ）の信号をプルダウンするために用いられる。
【００３６】
図２を引き続き参照すると、本実施例では、各々のプルダウン保持回路２２は、４個のＧＯＡユニット２１に対応し、各々のプルダウン保持回路２２は、対応する４個のＧＯＡユニット２１が非作用期間に出力するゲート駆動信号を第２レベル信号に保持するために用いられる。このうち、第２レベル信号は、低レベル信号である。
【００３７】
図４を併せて参照し、図４は、図２に示されるプルダウン保持回路の回路原理図である。図４に示すように、プルダウン保持回路２２は、入力モジュール２２１及び出力モジュール２２２を備える。
【００３８】
入力モジュール２２１は、第１トランジスタＴ１、第２トランジスタＴ２、第３トランジスタＴ３、第４トランジスタＴ４、第５トランジスタＴ５、第６トランジスタＴ６、第７トランジスタＴ７、第８トランジスタＴ８、第９トランジスタＴ９、第１０トランジスタＴ１０及び第１コンデンサＣ１を備える。
【００３９】
このうち、第１トランジスタＴ１のゲート、ソースが第２トランジスタＴ２のソースに接続された後、第１入力信号に接続され、第１トランジスタＴ１のドレインがそれぞれ第３トランジスタＴ３のソース、及び第４トランジスタＴ４のゲートに接続され、第２トランジスタＴ２のゲートがそれぞれ第３トランジスタＴ３のゲート、第５トランジスタＴ５のソースとゲートに接続され、第２トランジスタＴ２のドレインが第４トランジスタＴ４のソースに接続され、第５トランジスタＴ５のドレインがそれぞれ第６トランジスタＴ６のドレイン、第７トランジスタＴ７のソース、第１コンデンサＣ１の一端、第９トランジスタＴ９のゲートに接続され、第６トランジスタＴ６のゲートがソースと互いに接続された後、第２入力信号に接続され、第７トランジスタＴ７のゲート、第１０トランジスタＴ１０のゲートがリセット信号Ｒｅｓｅｔに接続され、第８トランジスタＴ８のゲートがソースに接続された後、第３入力信号に接続され、第８トランジスタＴ８のドレインが第９トランジスタＴ９のソースに接続され、第９トランジスタＴ９のドレインがそれぞれ第１コンデンサＣ１の他端及び第１０トランジスタＴ１０のソースに接続され、第３トランジスタＴ３、第４トランジスタＴ４、第７トランジスタＴ７、第１０トランジスタＴ１０のドレインが接続された後、第４入力信号に接続される。
【００４０】
出力モジュール２２２は、８個のトランジスタＴＴ１を備え、トランジスタＴＴ１の数量がクロック信号の数量と同じである。
【００４１】
本実施例では、８個のトランジスタＴＴ１のゲート同士が接続された後、入力モジュール２２１中の第９トランジスタＴ９のドレインに接続され、８個のトランジスタＴＴ１のドレイン同士が接続された後、第４入力信号に接続され、８個のトランジスタＴＴ１のソースがそれぞれ対応する４個のＧＯＡユニットの共通信号点とゲート駆動信号に接続される。
【００４２】
本実施例では、プルダウン保持回路２２が第Ｍ段のプルダウン保持回路であることを例にする場合、第Ｍ段のプルダウン保持回路２２の第１入力信号が定電圧正電源ＶＤＤであり、第２入力信号が第Ｍ−１段カスケード伝送信号Ｐ（ｍ−１）であり、第３入力信号が第１制御信号ＣＫＰであり、第４入力信号が定電圧負電源ＶＳＳである。
【００４３】
このうち、第Ｍ段のプルダウン保持回路２２の第９トランジスタＴ９のドレインが第Ｍ段カスケード伝送信号Ｐ（ｍ）を出力する。
【００４４】
また、本実施例では、第Ｍ段のプルダウン保持回路２２と第Ｍ＋１段のプルダウン保持回路２２の第３入力信号とは位相が逆であり、すなわち、第Ｍ＋１段プルダウン保持信号２２の第３入力信号が逆位相第１制御信号ＸＣＫＰである。
【００４５】
本実施例では、第Ｍ段のプルダウン保持回路２２中の８個のトランジスタＴＴ１のソースがそれぞれ第Ｎ段、第Ｎ＋１段、第Ｎ＋２段、第Ｎ＋３段共通信号点Ｑ（ｎ）、Ｑ（ｎ＋１）、Ｑ（ｎ＋２）、Ｑ（ｎ＋３）及び第Ｎ段、第Ｎ＋１段、第Ｎ＋２段、第Ｎ＋３段ゲート駆動信号Ｇ（ｎ）、Ｇ（ｎ＋１）、Ｇ（ｎ＋２）、Ｇ（ｎ＋３）に接続される。
【００４６】
図５を併せて参照し、図５は、図４に示されるプルダウン保持回路の動作タイミング図である。図５に示すように、第Ｎ段〜第Ｎ＋３段ＧＯＡユニット２１がゲート駆動信号を出力する期間、第Ｍ段のプルダウン保持回路２２の第Ｍ段カスケード伝送信号Ｐ（ｍ）が常に低電位状態にあり、この時、第Ｎ段〜第Ｎ＋３段ＧＯＡユニット２１が第Ｎ段、第Ｎ＋１段、第Ｎ＋２段、第Ｎ＋３段ゲート駆動信号Ｇ（ｎ）、Ｇ（ｎ＋１）、Ｇ（ｎ＋２）、Ｇ（ｎ＋３）を正常に出力させることが確実にできる。第Ｎ段〜第Ｎ＋３段ＧＯＡユニット２１のゲート駆動信号出力が終了した後、Ｍ段カスケード伝送信号Ｐ（ｍ）が高電位に切り替わり、８個のトランジスタＴＴ１が第Ｎ段〜第Ｎ＋３段ＧＯＡユニット２１の第Ｎ段、第Ｎ＋１段、第Ｎ＋２段、第Ｎ＋３段共通信号点Ｑ（ｎ）、Ｑ（ｎ＋１）、Ｑ（ｎ＋２）、Ｑ（ｎ＋３）及び第Ｎ段、第Ｎ＋１段、第Ｎ＋２段、第Ｎ＋３段ゲート駆動信号Ｇ（ｎ）、Ｇ（ｎ＋１）、Ｇ（ｎ＋２）、Ｇ（ｎ＋３）をすべて定電圧負電源ＶＳＳの電位にプルダウンするように同時に制御することができる。
【００４７】
このうち、１つの画像フレームの表示において、プルダウン保持回路２２中のＭ段カスケード伝送信号Ｐ（ｍ）が高電位に切り替わった後に常に高電位状態に保持され、次の画像フレームを表示する前にリセット信号Ｒｅｓｅｔ信号によってＭ段カスケード伝送信号Ｐ（ｍ）が低電位にプルダウンされるまで保持される。
【００４８】
図６は、本発明の第３実施例のＧＯＡ回路の構造模式図であり、本発明は、８個のクロック信号に基づくＧＯＡ回路である。図６に示すように、ＧＯＡ回路３０は、カスケード接続される複数のＧＯＡユニット３１及び複数のプルダウン保持回路３２を備える。
【００４９】
図２に示されるＧＯＡ回路２０と、図６に示されるＧＯＡ回路３０との相違点は、２個ごとのプルダウン保持回路３２が４個のＧＯＡユニット３１に対応することである。
【００５０】
このうち、本実施例におけるＧＯＡユニット３１は、図２に示される第２実施例におけるＧＯＡユニット２１と同じであり、簡潔にするために、ここで重複説明を省略する。
【００５１】
図７を併せて参照し、図７は、図６に示される４個のＧＯＡユニットに対応する２個のプルダウン保持回路の回路原理図である。図７に示すように、２個のプルダウン保持回路３２が第Ｍ段のプルダウン保持回路３２と第Ｍ＋１段のプルダウン保持回路３２を含むことを例によると、図２に示される第２実施例におけるプルダウン保持回路２２と、本実施例におけるプルダウン保持回路３２との相違点は、以下のとおりである。
【００５２】
第Ｍ段のプルダウン保持回路３２の第１入力信号が第１低周波信号ＰＬＣ１であり、第２入力信号が第Ｍ−２段カスケード伝送信号ＰＰ（ｍ−２）であり、第３入力信号が第２制御信号ＣＫＰ２であり、第４入力信号が定電圧負電源ＶＳＳである。第Ｍ＋１段のプルダウン保持回路３２の第１入力信号が第２低周波信号ＰＬＣ２であり、第２入力信号が第Ｍ−１段カスケード伝送信号ＰＰ（ｍ−１）であり、第３入力信号が第２制御信号ＣＫＰ２であり、第４入力信号が定電圧負電源ＶＳＳである。
【００５３】
このうち、第Ｍ段のプルダウン保持回路３２の第９トランジスタＴ９のドレインが第Ｍ段カスケード伝送信号ＰＰ（ｍ）を出力し、第Ｍ＋１段のプルダウン保持回路３２の第９トランジスタＴ９のドレインが第Ｍ＋１段カスケード伝送信号ＰＰ（ｍ＋１）を出力する。
【００５４】
このうち、第Ｍ段のプルダウン保持回路と第Ｍ＋１段のプルダウン保持回路の第３入力信号が同じであり、隣接する別の２個のプルダウン保持回路の第３入力信号の位相と逆であり、すなわち、隣接する別の２個のプルダウン保持回路の第３入力信号が逆位相第２制御信号ＸＣＫＰ２である。
【００５５】
このうち、第１低周波信号ＰＬＣ１と第２低周波信号ＰＬＣ２とは位相が逆である。
【００５６】
このうち、第１低周波信号ＰＬＣ１と第２低周波信号ＰＬＣ２は、所定画像フレームおきに一度極性を切り替える。このうち、所定画像フレームの数の値の範囲は１〜１００フレームである。
【００５７】
このうち、第Ｍ段のプルダウン保持回路３２と第Ｍ＋１段のプルダウン保持回路３２は、第１低周波信号ＰＬＣ１と第２低周波信号ＰＬＣ２の制御下で交互に動作する。
【００５８】
図８と図９を併せて参照し、図８は、図７に示される第Ｍ段のプルダウン保持回路の動作タイミング図であり、図９は、図７に示される第Ｍ＋１段のプルダウン保持回路の動作タイミング図である。図８及び図９に示すように、第１低周波信号ＰＬＣ１が高レベル、例えば３０Ｖであり、第２低周波信号ＰＬＣ２が低レベル、例えば−８Ｖである場合、第Ｍ段のプルダウン保持回路３２が正常に動作する。第２低周波信号ＰＬＣ２が高レベル、例えば３０Ｖであり、第１低周波信号ＰＬＣ１が低レベル、例えば−８Ｖである場合、第Ｍ＋１段のプルダウン保持回路が正常に動作する。
【００５９】
本実施例では、第１低周波信号ＰＬＣ１と第２低周波信号ＰＬＣ２が所定画像フレームおきに一度極性を切り替え、２個のプルダウン保持回路、すなわち第Ｍ段のプルダウン保持回路と第Ｍ＋１段のプルダウン保持回路が交互に動作することで、図２に示される実施例では１個のみのプルダウン保持回路が長時間動作するためトランジスタが電圧ストレス（Ｓｔｒｅｓｓ）を受けてＩ−Ｖドリフトを招くという問題を回避し、更にＧＯＡ回路の信頼性を向上させることができる。
【００６０】
図１０は、本発明の実施例の液晶ディスプレイの構造模式図である。図１０に示すように、液晶ディスプレイ１は、ＧＯＡ回路２を備え、ＧＯＡ回路２は、上記ＧＯＡ回路１０、ＧＯＡ回路２０又はＧＯＡ回路３０である。
【００６１】
本発明の有益な効果は、以下のとおりである。本発明のＧＯＡ回路及び液晶ディスプレイは、各々のプルダウン保持回路が対応する少なくとも２個のＧＯＡユニットが非作用期間に第２レベル信号のゲート駆動信号を出力するように保持することで、プルダウン保持回路の数量を減少させることができ、更に液晶ディスプレイの狭額縁化の設計ニーズを満たすようにＧＯＡ回路の配線領域の幅を減少させることができる。
【００６２】
以上、本発明の実施形態のみを説明したが、本発明の特許範囲を制限するものではなく、本発明の明細書及び図面の内容を用いて施される同等構造若しくは同等プロセスの置換、又はほかの関連技術分野への直接若しくは間接的な応用は、すべて本発明の特許保護範囲内に含まれる。
【符号の説明】
【００６３】
１  液晶ディスプレイ
１０  ＧＯＡ回路
１１  ＧＯＡユニット
１２  プルダウン保持回路
２０  ＧＯＡ回路
２１  ＧＯＡユニット
２２  プルダウン保持回路
３０  ＧＯＡ回路
３１  ＧＯＡユニット
３２  プルダウン保持回路
２２１  入力モジュール
２２２  出力モジュール
【図１】
0006789400.tif 000002
【図２】
0006789400.tif 000003
【図３】
0006789400.tif 000004
【図４】
0006789400.tif 000005
【図５】
0006789400.tif 000006
【図６】
0006789400.tif 000007
【図７】
0006789400.tif 000008
【図８】
0006789400.tif 000009
【図９】
0006789400.tif 000010
【図１０】
0006789400.tif 000011